(57)【要約】【課題】誘導発電機を用いて電力系統に接続されている負荷に電力を供する分散型電源で、誘導発電機等が電力系統から切り離されたことを簡単，確実に検出できるようにする。【解決手段】電力系統１と誘導発電機１９との間に並列に設けられた無効電力補償装置１３により、誘導発電機１９の無効電力を完全に補償するのではなく、若干過補償または不足補償とすることにより、単独運転状態となったときは、誘導発電機１９の電圧が過電圧または不足電圧となるので、これを利用して、単独運転状態を検出できるようにする。【選択図】図１
2008099494.tif 000002
【特許請求の範囲】
【請求項１】
電力系統に接続されている負荷に電力を供給する誘導発電機の無効電力を検出する検出手段と、誘導発電機の無効電力を補償する無効電力補償装置とを備え、前記検出手段にて
検出した無効電力よりも不足または過剰の無効電力を、前記無効電力補償装置を介して出力することにより、誘導発電機の力率を改善するとともに、誘導発電機と無効電力補償装置の出力側が電力系統から解列されたことを検出することを特徴とする誘導発電機の単独運転検出方式。
【請求項２】
前記検出手段から出力される無効電力の不足量または過剰量を、時間とともに変化させることを特徴とする請求項１に記載の誘導発電機の単独運転検出方式。
【発明の詳細な説明】
【技術分野】
【０００１】
この発明は、風力や火力またはエンジン等により誘導発電機を駆動することで、電力系統に電力を供給する分散型電源において、誘導発電機の出力側が電力系統から切り離されたことを検出し、必要な保護動作を行なわせるようにした誘導発電機の単独運転検出方式に関する。
【背景技術】
【０００２】
分散型電源を電力系統と連系運転させる場合には、分散型電源からの供給電力と負荷電力とがバランスした状態で、電力系統と切り離された状態、つまり単独運転状態となった場合に、これを速やかに検出し分散型電源を停止させる必要がある。これは、本来無電圧であるべき系統が充電され、作業員の感電などの危険を回避するためである。
【０００３】
図６は、このような単独運転検出方法の一例を示すブロック図で、例えば特許文献１に開示されている。
図６では、電力系統１に変圧器２，遮断器３および４を介して、同期発電機５が接続されている。同期発電機５の回転速度は調速機７およびタービン６で制御され、電力系統１と同一の周波数に保たれている。また、同期発電機５の電圧値は、図示されない電圧調節器（ＡＶＲ）によって制御されている。このＡＶＲの制御は一般的なので、その詳細は省略する。
【０００４】
また、同期発電機５の出力側は、遮断器４を介して負荷８および無効電力補償装置１３が接続されている。無効電力補償装置１３は、設定器１５で設定した無効電力設定値Ｑ＊と、周波数変化率演算器９および関数発生器１０で演算された無効電力設定補正値を加算した値を指令とし、無効電力演算器１１で演算される無効電力がその指令値通りになるような出力を、無効電力調節器１２で求めて無効電力補償装置１３に対して出力する。
【０００５】
ここで、同期発電機５の出力と負荷８の電力がバランスしている状態で遮断器３が解列すると、単独運転状態となる。単独運転状態となり、同期発電機５の周波数が変化し始めると、その変化率を周波数変化率演算器９で演算し、さらに周波数を変化させるように、関数発生器１０によって無効電力設定補正値が演算され、多くの無効電力が出力されることになる。その結果、周波数の変化が大きくなっていき、周波数異常を検出する継電器等で同期発電機５を停止させることになる。
【０００６】
【特許文献１】特開平０９−２４７８６３号公報
【発明の開示】
【発明が解決しようとする課題】
【０００７】
図６において、同期発電機の単独運転を検出するためには、同期発電機の出力電圧周波数を使って、無効電力補償装置の無効電力設定補正値を変えることから、この周波数を演算するために精度の高い周波数演算器が必要となるだけでなく、単独運転状態になった時に、同期発電機の周波数が変わらなかった場合には、負荷とバランスした状態を保ち続けることになり、単独運転状態を検出できないという問題が発生する。
したがって、この発明の課題は、単独運転状態を簡単，確実に検出できるようにすることにある。
【課題を解決するための手段】
【０００８】
このような課題を解決するため、請求項１の発明では、電力系統に接続されている負荷に電力を供給する誘導発電機の無効電力を検出する検出手段と、誘導発電機の無効電力を補償する無効電力補償装置とを備え、前記検出手段にて検出した無効電力よりも不足または過剰の無効電力を、前記無効電力補償装置を介して出力することにより、誘導発電機の力率を改善するとともに、誘導発電機と無効電力補償装置の出力側が電力系統から解列されたことを検出することを特徴とする。
この請求項１の発明においては、前記検出手段から出力される無効電力の不足量または過剰量を、時間とともに変化させることができる（請求項２の発明）。
【発明の効果】
【０００９】
この発明によれば、無効電力補償装置により誘導発電機からの無効電力を完全に補償するのではなく、若干過補償または不足補償にしておくことで、単独運転状態となったとき誘導発電機の電圧が過電圧または不足電圧となるので、このことを利用することで簡単，確実に単独運転状態を検出することが可能となる。
【発明を実施するための最良の形態】
【００１０】
図１はこの発明の実施の形態を示すブロック図である。図示のように、図６に示す従来例に対し、無効電力演算器１７およびゲイン要素１８を設けるとともに、発電機を同期発電機から誘導発電機１９に変更した点が特徴で、その他は図６と同様である。以下、相違点について主として説明する。
誘導発電機１９は、電圧を調整するＡＶＲは持たず、電力系統１から励磁電流が供給されることで、電圧が確立し発電を行なうようになっている。この励磁電流は無効分であるため、誘導発電機１９は力率が悪く、電力系統１の電圧低下が引き起こされることがある。このため、無効電力補償装置１３は、誘導発電機１９の無効電力と同一の無効電力を出力することで、誘導発電機１９の力率を上げ、電圧低下が発生しないように制御するのが一般的である。
【００１１】
無効電力補償装置１３は、誘導発電機１９の無効電力を補償するため、無効電力演算器１７では誘導発電機１９の無効電力を、系統電圧と検出器１６より得られる電流とから演算し、これにゲイン要素１８からのゲインを乗じた結果を無効電力指令値とする一方、無効電力演算器１１で演算される無効電力検出値をその無効電力指令値に一致させるように調節演算をする無効電力調節器１２を介して、無効電力補償装置１３の制御を行なう。なお、ゲインを１００％に設定しておけば、誘導発電機１９の無効電力が完全に補償されることになる。
【００１２】
ここで、誘導発電機１９の出力と負荷８の電力がバランスしている状態で遮断器３が解列すると、単独運転状態となる。単独運転状態になると、誘導発電機１９を励磁する電流は、無効電力補償装置１３から供給される無効電流であるが、その無効電流は誘導発電機１９が必要とする電流より、ゲイン分だけ異なっている。このため、例えばゲインとして１００％を超える設定（例えば１０２％）にすると過剰補償となり、反対にゲインを１００％未満に設定（例えば９８％）にすると不足補償となる。
【００１３】
誘導発電機１９は、１００％励磁電流を供給すると１００％の電圧が出力されることになるが、過剰補償の場合は電圧が増加、不足補償の場合は電圧が低下することになる。さらに、電圧が増加した場合は励磁電流がさらに大きくなることで電圧が増加し、電圧が低下した場合は励磁電流がさらに小さくなることで、電圧が減少していく。つまり、ゲイン要素１８で過剰補償に設定した場合は、単独運転状態となると電圧は上昇し続けるので、過電圧継電器等で検出停止することが可能となり、ゲイン要素１８で不足補償に設定した場合は、単独運転状態となると電圧は低下し続けるので、不足電圧継電器等で検出停止することができる。
【００１４】
無効電力補償装置１３を過剰補償にするか、不足補償にするかを決定する手段として、図１のようなゲイン要素１８ではなく、図２のように設定器２０と加減算器２１を用い、設定器２０で設定される一定量（例えば２％）を加減算器２１で加算または減算して決定することができる。
【００１５】
図３に図１の別の変形例を示す。ここでは、発振器２２と乗算器２３とによりゲインを時間毎に変化させるようにしている。発振器２２の出力としては、正弦波状または矩形波状もしくは三角波のように、任意の関数状に変化させることができる。
これは、図１，図２に示すものが、誘導発電機１９の無効電力に対し、無効電力補償装置１３により過剰補償または不足補償にした場合に、負荷８がその過剰分または不足分を取る負荷であった場合、誘導発電機１９と負荷８、無効電力補償装置１３で有効電力と無効電力がバランスした状態となることがあり、遮断器３が解列して単独運転状態となっても誘導発電機１９の電圧が増加したり、減少したりすることがなく、その結果、単独運転状態を検出して停止させることができなくなる。
【００１６】
そこで、図３では発振器２２から時間毎に異なるゲインを出力（９８％〜９６％または１０２〜１０４％等）し、無効電力演算器１７の出力に乗算器２３で乗算することにより、無効電力補償装置１３からの無効電力を逐次変化させ、誘導発電機１９と負荷８、無効電力補償装置１３で無効電力がバランスすることのないようにしている。図５に発振器２２の出力例を示す。ここでは、９８％〜９６％に変化させる場合の例を示す。
【００１７】
以上のようにすることで、誘導発電機１９が単独運転状態となった場合でも、電圧の増加または減少を引き起こすことができるため、単独運転を検出し停止することが可能となる。ここで、発振器２２の出力を無効電力演算器１７の出力に乗算器２３で乗算するではなく、図４のように、発振器２２の出力（２％〜４％等）を無効電力演算器１７の出力に加減算器２１を用いて加算または減算するようにしても良い。
【図面の簡単な説明】
【００１８】
【図１】この発明の実施の形態を示すブロック図
【図２】図１の第１の変形例を示すブロック図
【図３】図１の第２の変形例を示すブロック図
【図４】図１の第３の変形例を示すブロック図
【図５】図３または図４で用いられる発振器の特性例を示す説明図
【図６】従来例を示すブロック図
【符号の説明】
【００１９】
１…電力系統、２…変圧器、３，４…遮断器、５…同期発電機、６…タービン、７…調速機、８…負荷、９…周波数変化率演算器、１０…関数発生器、１１，１７…無効電力演算器、１２…無効電力調節器、１３…無効電力補償装置、１４，１６…電流検出器、１５，２０…設定器、１８…ゲイン要素、１９…誘導発電機、２１…加減算器、２２…発振器、２３…乗算器。
【図１】
2008099494.tif 000003
【図２】
2008099494.tif 000004
【図３】
2008099494.tif 000005
【図４】
2008099494.tif 000006
【図５】
2008099494.tif 000007
【図６】
2008099494.tif 000008